(57)【要約】互いにかみ合うクロージャー締め付けデバイスは一対の伸長したクロージャー要素を含む。クロージャー要素の一方は、クロージャー要素の一部にそって突出部のある第一の面を有する。クロージャー要素の他方は、第一の面と組み合い、触覚で認識できる相補的な面を有する。
2007534445.tif 000002
【特許請求の範囲】
【請求項１】
相互連結係合する長手方向に伸長する一対の向かい合うクロージャー要素を含む相互連結するクロージャー締め付けデバイスであって、第一のクロージャー要素はその一部分にそって伸長する、第一の突出部のある面を有し、第二のクロージャー要素はその一部分にそって位置する相補的な第一の面を有し、前記第一の相補的な面は閉じた位置で前記第一の突出部のある面と係合し、それぞれの面は第一および第二のクロージャー要素に押し付け力を適用する際にラチェット係合を生じさせる、ことを特徴とする締め付けデバイス。
【請求項２】
前記第一のクロージャー要素がベース部を有し、前記第一の突出部のある面が前記ベース部に対して０−９０度の範囲の角度をなしている、請求項１に記載の締め付けデバイス。
【請求項３】
前記第一の突出部のある面が前記ベース部に対して９０度の角度をなしている、請求項２に記載の締め付けデバイス。
【請求項４】
前記第一の突出部のある面がウェブを有し、前記突出部のある面が前記ウェブにある、請求項３に記載の締め付けデバイス。
【請求項５】
前記第一の突出部のある面が複数のフック部を有する、請求項４に記載の締め付けデバイス。
【請求項６】
前記第一の突出部のある面が複数の鋸状の歯をもつ、請求項４に記載の締め付けデバイス。
【請求項７】
前記第一の突出部のある面が複数の凸部を有する、請求項４に記載の締め付けデバイス。
【請求項８】
前記第一の突出部のある面が曲がりくねった形状をもつ、請求項４に記載の締め付けデバイス。
【請求項９】
前記第一の相補的な面が突出部を有する、請求項４に記載の締め付けデバイス。
【請求項１０】
前記第一の相補的な面が突出部のある面を有する、請求項４に記載の締め付けデバイス。
【請求項１１】
前記突出部のある面が複数のフック部を有する、請求項１０に記載の締め付けデバイス。
【請求項１２】
前記突出部のある面が複数の鋸状の歯を有する、請求項１０に記載の締め付けデバイス。
【請求項１３】
前記突出部のある面が複数の凸部を有する、請求項１０に記載の締め付けデバイス。
【請求項１４】
前記突出部のある面が曲がりくねった形状をもつ、請求項１０に記載の締め付けデバイス。
【請求項１５】
前記第一のクロージャー要素が二つのウェブを有し、前記第一の突出部のある面が前記ウェブの一方の上にあり、第二の突出部のある面が前記ウェブの他方の上にある、請求項３に記載の締め付けデバイス。
【請求項１６】
前記突出部のある面が複数のフック部を有する、請求項１５に記載の締め付けデバイス。
【請求項１７】
前記突出部のある面が複数の鋸状の歯を有する、請求項１５に記載の締め付けデバイス。
【請求項１８】
前記突出部のある面が複数の凸部を有する、請求項１５に記載の締め付けデバイス。
【請求項１９】
前記突出部のある面が曲がりくねった形状をもつ、請求項１５に記載の締め付けデバイス。
【請求項２０】
前記第一の相補的な面が突出部を有する、請求項１５に記載の締め付けデバイス。
【請求項２１】
前記第一の相補的な面が突出部のある面を有し、前記第二のクロージャー要素が第二の相補的な面を有し、該第二の相補的な面は突出部のある面を有する、請求項１５に記載の締め付けデバイス。
【請求項２２】
前記突出部のある面が複数のフック部を有する、請求項２１に記載の締め付けデバイス。
【請求項２３】
前記突出部のある面が複数の鋸状の歯を有する、請求項２１に記載の締め付けデバイス。
【請求項２４】
前記突出部のある面が複数の凸部を有する、請求項２１に記載の締め付けデバイス。
【請求項２５】
前記突出部のある面が曲がりくねった形状をもつ、請求項２１に記載の締め付けデバイス。
【請求項２６】
前記突出部のある面が内に向く、請求項１５に記載の締め付けデバイス。
【請求項２７】
前記突出部のある面が外に向く、請求項１５に記載の締め付けデバイス。
【請求項２８】
前記第一の突出部のある面が前記第二の突出部のある面と異なる形状をもつ、請求項１５に記載の締め付けデバイス。
【請求項２９】
前記第一のクロージャー要素が第一のウェブ、第二のウェブ、第三のウェブおよび第四のウェブを有し、前記第一の突出部のある面が前記第一のウェブ上にあり、前記第二のウェブが第二の突出部のある面を有し、前記第二の突出部のある面が前記ベース部に対して９０度の角度をなし、前記第三のウェブが第三の突出部のある面を有し、前記第四のウェブが第四の突出部のある面を有する、請求項３に記載の締め付けデバイス。
【請求項３０】
前記第三のウェブが前記ベース部に平行である、請求項２９に記載の締め付けデバイス。
【請求項３１】
前記第三のウェブは前記ベース部に対して角度が付けられている、請求項２９に記載の締め付けデバイス。
【請求項３２】
前記第一のクロージャー要素がベース部を有し、前記第一の突出部のある面が前記ベース部に対して平行である、請求項２に記載の締め付けデバイス。
【請求項３３】
前記第一の突出部のある面が前記ベース部と一体である、請求項３２に記載の締め付けデバイス。
【請求項３４】
前記第一の突出部のある面が複数の鋸状の歯をもつ、請求項３２に記載の締め付けデバイス。
【請求項３５】
前記第一の突出部のある面が複数の凸部を有する、請求項３２に記載の締め付けデバイス。
【請求項３６】
前記第二のクロージャー要素がウェブを有し、前記第一の相補的な面が前記ウェブにそって位置している、請求項３２に記載の締め付けデバイス。
【請求項３７】
前記第一のクロージャー要素が第二の突出部のある面を含む、請求項３２に記載の締め付けデバイス。
【請求項３８】
前記第二の突出部のある面が前記ベース部に対して平行である、請求項３７に記載の締め付けデバイス。
【請求項３９】
前記第二のクロージャー要素がウェブおよび該ウェブにそった第二の相補的な面を有する、請求項３７に記載の締め付けデバイス。
【請求項４０】
前記第二の突出部のある面が前記ベース部に対して９０度の角度をなしている、請求項３７に記載の締め付けデバイス。
【請求項４１】
前記第一の相補的な面が突出部をもつ、請求項３６に記載の締め付けデバイス。
【請求項４２】
二つの向かい合う側面および相互連結する締め付けデバイスを有する容器であって、締め付けデバイスが側面の一方である第一の側面に止め付けられる第一のクロージャー要素、および側面の他方である第二の側面に止め付けられる第二のクロージャー要素を有し、第一のクロージャー要素がその第一のクロージャー要素にそった第一の突出部のある面を有し、第二のクロージャー要素が該クロージャー要素の一部にそった第一の相補的な面を有し、該第一の相補的な面が閉じた位置で前記第一の突出部のある面と相互にかみ合うように連結し、それら面は離れた位置から閉じた位置に至るときにラチェット係合する、ことを特徴とする容器。
【請求項４３】
前記第一のクロージャー要素がベース部を有し、前記第一の突出部のある面が前記ベース部に対して０度から９０度の範囲の角度をなす、請求項第４２に記載の容器。
【請求項４４】
前記第一の突出部のある面が前記ベース部に対して９０度の角度をなす、請求項４３に記載の容器。
【請求項４５】
前記第一のクロージャー要素がウェブを有し、前記第一の突出部のある面が前記ウェブ上にある、請求項４４に記載の容器。
【請求項４６】
前記第一の突出部のある面が複数のフック部を有する、請求項４５に記載の容器。
【請求項４７】
前記第一の突出部のある面が複数の鋸状の歯を有する、請求項４５に記載の容器。
【請求項４８】
前記第一の突出部のある面が複数の凸部を有する、請求項４５に記載の容器。
【請求項４９】
前記第一の突出部のある面が曲がりくねった形状を有する、請求項４５に記載の容器。
【請求項５０】
前記第一の相補的な面が突出部を有する、請求項４５に記載の容器。
【請求項５１】
前記第一の相補的な面が突出部のある面を有する、請求項４５に記載の容器。
【請求項５２】
前記突出部のある面が複数のフック部を有する、請求項５１に記載の容器。
【請求項５３】
前記第一の突出部のある面が複数の鋸状の歯を有する、請求項５１に記載の容器。
【請求項５４】
前記第一の突出部のある面が複数の凸部を有する、請求項５１に記載の容器。
【請求項５５】
前記第一の突出部のある面が曲がりくねった形状を有する、請求項５１に記載の容器。
【請求項５６】
前記第一のクロージャー要素が二つのウェブを有し、前記第一の突出部のある面が前記ウェブの一方にあり、第二の突出部のある面が前記ウェブの他方にある、請求項４４に記載の容器。
【請求項５７】
前記突出部のある面が複数のフック部を有する、請求項５６に記載の容器。
【請求項５８】
前記第一の突出部のある面が複数の鋸状の歯を有する、請求項５６に記載の容器。
【請求項５９】
前記第一の突出部のある面が複数の凸部を有する、請求項５６に記載の容器。
【請求項６０】
前記第一の突出部のある面が曲がりくねった形状を有する、請求項５６に記載の容器。
【請求項６１】
前記第一の相補的な面が突出部を有する、請求項５６に記載の容器。
【請求項６２】
前記第一の相補的な面が突出部のある面を有し、前記第二のクロージャー要素が第二の相補的な面を有し、該第二の相補的な面が突出部のある面を有する、請求項５６に記載の容器。
【請求項６３】
前記突出部のある面が複数のフック部を有する、請求項６２に記載の容器。
【請求項６４】
前記第一の突出部のある面が複数の鋸状の歯を有する、請求項６２に記載の容器。
【請求項６５】
前記第一の突出部のある面が複数の凸部を有する、請求項６３に記載の容器。
【請求項６６】
前記第一の突出部のある面が曲がりくねった形状を有する、請求項６３に記載の容器。
【請求項６７】
前記第一の突出部のある面が内側に向く、請求項５６に記載の容器。
【請求項６８】
前記第一の突出部のある面が外側に向く、請求項５６に記載の容器。
【請求項６９】
前記第一の突出部のある面が前記第二の突出部のある面とは異なる形状をもつ、請求項５６に記載の容器。
【請求項７０】
前記第一のクロージャー要素が第一のウェブ、第二のウェブ、第三のウェブおよび第四のウェブを含み、前記第一の突出部のある面が前記第一のウェブ上にあり、前記第二のウェブが第二の突出部のある面を有し、前記第二の突出部を有する面が前記ベース部に対して９０度の角度をなし、前記第三のウェブが第三の突出部のある面を有し、前記第四のウェブが第四の突出部のある面を有する、請求項４４に記載の容器。
【請求項７１】
前記第三のウェブが前記ベース部に平行である、請求項７０に記載の容器。
【請求項７２】
前記第三のウェブが前記ウェブに対して角度が付けられている、請求項７０に記載の容器。
【請求項７３】
前記第一のクロージャー要素がベース部を有し、前記第一の突起部をもつ面が前記ベース部に平行である、請求項４３に記載の容器。
【請求項７４】
前記突出部のある面が前記ベース部と一体である、請求項４３に記載の容器。
【請求項７５】
前記第一の突出部のある面が複数の鋸状の歯をもつ、請求項７３に記載の容器。
【請求項７６】
前記第一の突出部のある面が複数の凸部を有する、請求項７３に記載の容器。
【請求項７７】
前記第二のクロージャー要素がウェブを有し、前記相補的な面が前記ウェブにそって位置する、請求項７３に記載の容器。
【請求項７８】
前記第一のクロージャー要素が第二の突出部を含む、請求項７３に記載の容器。
【請求項７９】
前記第二の突出部のある面が前記ベース部に対して平行である、請求項７８に記載の容器。
【請求項８０】
前記第二のクロージャー要素がウエブを有し、前記ウェブにそって第二の相補的面を有する、請求項７８に記載の容器。
【請求項８１】
前記第二の突出部のある面が前記ベース部に対して９０度の角度を付けられる、請求項７８に記載の容器。
【請求項８２】
前記第一の相補的面が突出部を有する、請求項７７に記載の容器。
【発明の詳細な説明】
【技術分野】
【０００１】
本発明は締め付けストリップの連結に関し、特に開閉自在な収納バッグに使用できる少なくとも一つの突出部のあるクロージャー要素をもつ連結締め付けストリップに関する。
【背景技術】
【０００２】
熱可塑性の開閉自在容器に使用される公知のクロージャー締め付けデバイスは締め付けデバイスが閉じた位置にあるとき、容器内の内容物に対して有効に密閉をする。このような締め付けデバイスは典型的に、容器の向かい合う側面の上部にそって長手方向に伸長する一対の相補的なクロージャー（ストリップ）要素をもつ。クロージャー要素は、それらが閉じると互いに連結し、容器が外部から開放されるとき、クロージャー要素は容易に離れるように構成されている。
【発明の開示】
【発明が解決しようとする課題】
【０００３】
このような締め付けデバイスの一つの望ましい特徴は、使用者が締め付けデバイスの密封状態を決定することができることである。たとえば、締め付けデバイスの密封状態を、開いたクロージャー要素に対していろいろに配色して、視覚的に示すものがある。このようなものは特許文献１に示されている。開いたクロージャー要素が連結すると、使用者は、重なりあった要素部分の第三の限定配色から容器の適切な密封を認識することができる。
【特許文献１】米国特許第４８２９６４１号明細書
【０００４】
他の在来の技術は、容器の密封状態を示すために、容器の使用者に独特の触感を与えるものである。たとえば、特許文献２は、凸凹感覚を与えるジッパーを開示する。このジッパーは一対の向かい合った連結可能なリブおよび溝形状をもつ（溝形状の一つは長手方向にそって、間隔があいた複数のへこみをもつ）。これら凹凸により、切欠された部分または弱められた部分が密封に際して曲げられると、使用者は可聴なクリック音を聞いたり凹凸感覚を感じたりする。
【課題を解決するための手段】
【０００５】
本発明は、一対の連結するクロージャー要素を有する、開閉可能な収納容器に使用する締め付けクロージャース要素トリップを提供する。締め付けクロージャー要素ストリップはいろいろな位置をとる。本発明にしたがって、使用者は、一つの位置から他の位置へとクロージャー要素ストリップを動かすことができる。クロージャー要素の係合表面は、多様な係合面のため、突出部のある表面ということにする。係合面の一つの態様は、フック部として参照される。したがって、“フック部”といったときは、本発明に使用される突出部のある一つのタイプを示す。クロージャー要素の少なくとも一つは、収納容器の使用者が、その容器を閉じたときに、クリック音を聞くことができるようにする。
【０００６】
構造的に、本発明にしたがったクロージャー締め付けデバイスは向かい合い、長手方向に伸長する一対のストリップで、このストリップは、完全に閉じると互いに連結係合するものである。クロージャー要素のストリップの一つは、クロージャー要素のストリップ要素の上周囲片から伸びる複数の突出部を有する。他方のクロージャー要素のストリップは、押し付ける圧力を適用してクロージャー要素が完全に閉じたとき、突出部と断続的に係合する相補的な部分を有する。この係合により、クロージャー締め付けデバイスの使用者はラチェット係合を認識できる。
【０００７】
一実施例では、第一のクロージャー要素のストリップはベース部を有し、ベース部はそこから伸長する間隔が開けられた長い一対の第一のウェブを有する。ウェブのそれぞれは、そのウェブのそれぞれから外向きに伸長する雄型フック部を有する。第二のクロージャー要素も、第二のベース部から伸長する一対のウェブを有する。第二のウェブは、締め付けデバイスが開いた状態から閉じた状態に移動するとき、フック部と断続的にラチェット係合できるように内側に伸長する、間隔があけられた複数の突出部を有する。
【０００８】
本発明を実施してクロージャー締め付けデバイスは、ベース部を有する第一の雄型クロージャー要素を有し、そのベース部から伸長する細長い間隔があけられた一対の第一のウェブを有する。この実施例では、第一のウェブはそれぞれ、ウェブのそれぞれから外側に伸長する間隔があけられた複数の雄型突出部を有する。締め付けデバイスは、第二のベース部から伸長する一対の第二のウェブを有する雌型クロージャー要素を有する。第二のウェブの少なくとも一つは、締め付けデバイスが開いた状態から閉じた状態へと移動するときに、雄型突起部と断続的にラチェット係合することができるように内側に伸長する雌型フック部を有する。
【０００９】
他の実施例では、クロージャー締め付けデバイスは実質的に波形状の面を形成する曲がりくねった形状をもつ一つのウェブを有する雄型クロージャー要素を含む。この構成は、交互する複数の凸部と凹部を形成する。デバイスはさらに、一対の第二のウェブ（それぞれは曲がりくねった形状の突出部と断続的に係合する雌型フック部を有する）を有する相補的な雌型クロージャー要素を含む。
【００１０】
本発明の他の利点、実施例は、添付図面を参照して以下の記述、特許請求の範囲を考察することで当業者には明らかである。
【発明を実施するための最良の形態】
【００１１】
一般的に、本発明は、所定の長さをもったクロージャー締め付けストリップに亘って連結される相補的なクロージャー要素を有するクロージャー締め付けストリップに関する。クロージャー締め付けストリップは種々の位置をとる。本発明にしたがって、使用者は一つの位置から他の位置へとクロージャー締め付けストリップを移動することができる。クロージャー要素の係合面は多重の係合面により、突出部のある面という。したがって、“フック部”という用語は、本発明で使用する突出部の一つのタイプを示す。クロージャー要素の少なくとも一つは、クロージャー要素が閉じる位置にあるときに、クロージャー要素の相補的な面と相互接続するために使用される突出部のある面を有する。突出部のある面は、締め付けストリップを効果的に閉じる突出部と係合すべく押し付け力を適用すると、プラスチック製容器の使用者に、ラチェット係合の感触および可聴音と与える。
【００１２】
図１は本発明にしたがったプラスチック製の開閉自在の収納バッグ４となった熱可塑性容器を示す。収納バッグ４は、比較的薄いプラスチック製フィルムを底部で折り曲げ、両側方にそって接続された一対の向かい合った側面６、８を有し、折り曲げられた両側端部に開口部または口９が形成されるものである。図１は、側面６、８に接続されて一対の向かい合ったクロージャー要素１２、１４を有するクロージャー締め付けデバイス１０を示す。クロージャー要素１２、１４は好適にそれぞれ、収納バッグ４の開口部の近くで、向かい合う側面６、８の端部の間に長手方向に伸長する開閉自在な締め付けデバイスを一緒になって形成する、プラスチック製の押出成形ストリップを有する。
【００１３】
図２は、本発明にしたがった一形態のクロージャー締め付けデバイス１０の断面図である。デバイス１０は第一のクロージャー要素１２と第二の相補的なクロージャー要素１４を有する。図示の実施例では、クロージャー要素は、バッグの側面に接続されたベース部を有するプラスチック製のストリップである。ベーブ部分は、図１において符号１６、１８で示されている。クロージャー要素１２、１４は別々に描かれ、バッグの側面を形成するプラスチック製フィルムに接続されるが、それらは従前の方法で、バッグの側面と一体に形成されてもよい。
【００１４】
クロージャー要素１２および１４の構造上の詳細は、図２、および図３Ａないし図４Ｂに示されている。第一のクロージャー要素１２は、ベース部１６にほぼ垂直に伸長する、平行で間隔があけられた一対のウェブ２０、２２から成る雄型要素である。ここで使用する“雄型”は密接にかみ合い、ほぼ外側に伸長するフック部または他の結合部分を有するクロージャー要素または部分を示す。内側に伸長するフック部または他の部分を有する外側のクロージャー要素は、“雌型”クロージャー要素または部分として参照される。一対の雌型フック部２４、２６は互いに外側に向いた脚部に取り付けられている。特に、第一の雄型フック部２４は、第一のウェブ２０の末端にあり、そこから外側に突き出ている。この実施例では、フック部の一方２４は、第一のウェブ２０から少なくとも部分的に内側に伸長する、内側に伸長するガイド面２８を有する。動作においては、ガイド面２８は、下述するように、組み合うクロージャー要素の雌型突出部とブック部材とによるかみ合いを案内するのに役立つ。上述のとおり、第二のウェブ２２は末端のあり、そこから外側に突き出ている雄型フック部２６を有する。このブック部材は、かみ合うクロージャー要素の雌型突出部との係合を容易にする、先端にある案内面３９を含む。必要であれば、ガイド面３０は、ガイド面２８と似て、同様に作用するようにウェブ２２から内側に伸長してもよい。さらにウェブ２０、２２は、それぞれ二つ、三つ、四つまたはそれ以上の突出部を有してもよく、また図５Ｂに示されているように突出部２６a-２６c、２４a-２４cのように、さらにまた図６に示されているように突出部１４２a-c、１４６a-cのように有してもよい。
【００１５】
第一のクロージャー要素１２はまた、ウェブ２０、２２から横方向にそれぞれ離れた一対の翼状ガイド部材３２、３４を有する。好適には、ガイド部材３２，３４は端部３２e、３４eを有するが、これらは、より詳細は下述するが、クロージャー要素が閉じたとき、雄型フック部２４、２６と整合するように第二のクロージャー要素１４の相補的なウェブを案内すべく外側に広がっている。
【００１６】
図２は、第二の雌型クロージャー要素１４の構造の詳細を示す。このクロージャー要素もまた、ベース部１８からほぼ垂直に伸長し、かつ平行に位置する間隔があけられた第１および第２のウェブ３６、３８を有する。第一のウェブ３６は、間隔があけられ一体に形成された複数の突出部４０a、４０b、４０cを有し、各突出部は第一のウェブ３６から内側に伸長している。突出部４０のそれぞれは、輪郭付けられた表面４２a-cを有し、それぞれは、組み合うクロージャーの対応する雄型フック部２４と係合するように突出部４０を案内する。同様に、第二のウェブ３８は、第二のウェブ３８から内側に伸長する間隔があけられた複数の雌型突出部４６a、４６b、４６cを有する。これら突出部４６もまた、組み合うクロージャー要素の対応する雄型フック部２６と係合するように突出部４６ガイドする、輪郭付けされた表面４８a-cを有する。同様に、突出部４６は、隣接する突出部の間の空間に、複数のかみ合う（interdigital）ノッチ５０a-cを画定する。この特定の実施例はウェブ当たり三つの突出部を示すが、各ウェブは、必要に応じ点二つ、三つ、四つまたはそれ以上を有してもよい。
【００１７】
この実施例では、クロージャー要素１４は、ウェブ３６，３８の間で、ベース部１８から伸長するフィン５２を含む。フィン５２は構造をしっかり維持し、クロージャー要素１８の押し出しを容易にするために有している。同様に、クロージャー要素１２もベース１６から伸長するフィンを有する。さらに、必要に応じて、クロージャー要素１２、１４は一つ、二つ、三つまたはそれ以上を有してもよい。フィンは適切な応用例のどれにも使用されてもよい。さらに、フィンは、特許文献３（ここに参考文献として組み込まれる）に説明されているように、色彩強調部材として機能するように設計されてもよい。
【特許文献３】米国特許第４８２９６４１号明細書
【００１８】
代表的な雄型クロージャー要素の代表的な大きさは図３Ａ（図において示す記号は以下の値をもつ）に示されている。
記号       範囲     好適値
Ａ          0.275-0.355      0.315
Ｂ          0.099-0.169      0.134
Ｃ          0.026-0.066      0.046
Ｄ          0.135-0.215      0.175
Ｆ          0.099-0.169      0.134
Ｇ          0.013-0.023      0.018
【００１９】
図３Ａの雄型クロージャー要素と共に使用される雌型クロージャー要素は図３Ｂ（代表的な実施例に対して以下の値をとる）で示されている。
記号       範囲     好適値
Ｈ          0.235-0.315      0.275
Ｉ          0.108-0.178      0.143
Ｊ          0.013-0.033      0.023
Ｋ          0.012-0.022      0.017
Ｌ          0.037-0.067      0,052
Ｍ          0.023-0.053      0.038
Ｎ          0.013-0.023      0.018
Ｏ          0.013-0.023      0.018
Ｐ          0.013-0.023      0.018
Ｑ          0,024-0.044      0.034
【００２０】
動作において、向かい合ったクロージャー要素１２および１４には、図４Ａおよび図４Ｂに示されている矢印６６、６８で示された方向で、実質的に容器の側面およびベース部１６、１８のそれぞれの面に垂直な方向に押し付ける力が適用される。このような力は、使用者が容器の表面を触り、さらに、クロージャー要素１２、１４の所定の長さにそって自らの指で圧縮するときに適用される。この作用により、図４Ａおよび図４Ｂに示されているように、向かい合った雄型フック部２４、２６は、フック部および突出部のクリアランスを形成することができるように、両対のウェブを曲げる突出部４０、４６に接触しながら動く。かくして、雌型ウェブ３６、３８は外側に曲がる。同時に、雄型クロージャー要素１２のそれぞれのウェブ２０、２２は内側に曲がる。
【００２１】
クロージャー要素が連動すると、雄型フック部２４、２６は、そのフック部が突出部の中間にあるノッチ内に位置するように、突出部４０、４６に対応するものとつぎつぎに係合する。かくして、クロージャー要素は、図４Ｂに示された方向に進む。このようにして、クロージャー要素は、図５Ａに示されているように、それらが完全に閉じるまで、順次結合していく。したがって、使用者が認識できる雄型フック部と突出部とのラチェット係合は、クロージャー要素が互いにかみ合うようなるときに生ずる。また、このようなラチェット係合は、向かい合うウェブのかみ合いにより、フック部が突出部から離れ、間にあるノッチの中に位置する度毎に可聴音を鳴らす。この音は、フック部への曲げ力が解放され、フック部がノッチへとパチンと嵌ることで生ずる。この音はまたクロージャー要素の動作の間、使用者により容易に認識できるものである。
【００２２】
好適に、雄型フック部と突出部とのラチェット係合のそれぞれとの断続的な係合により、クロージャー要素が組み合って係合し、容器の密封を十分に行うことができる。しかし、多くの場合、使用者は、一つに締め付けデバイスのより生ずる可聴音で、向かい合ったクロージャー要素を完全に閉じる。
【００２３】
締め付けデバイス１０をあけるために、クロージャー要素１２、１４は、プラスチック製の容器（図１）の口部分を引っ張ることにより互いに離される。この引っ張り左様により、雄型ウェブ２０、２２は内側に、雌型ウェブ３６、３８は外側へと向けられ、対応するフック部２４、２６および突出部４０、４６が通過することができる。クロージャー要素１２、１４のラチェット係合と同じ断続的な係合も使用者により認識される。
【００２４】
図１ないし図５Ａに示されているように、ウェブ３６、３８は突起部のある面を有し、他のウェブ２０、２２は一つの突起部と相補的な面を有する。ラチェット係合は、一つの突起部が突起部のある面と係合したときに行われる。しかし、上述のとおり、ウェブ２０、２２は一つの突起部に向かい合う多数の突起部をもってもよい。かくして、突起部のある面は、図５Ｂに示されているように他の突起のある面と係合する。図５Ｂは図１ないし図５Ａの他の実施例である。ウェブ２０、２２のそれぞれは、外向きのフック部２４a-２４c、２６a-２６cを有している。これらフック部のそれぞれは同じ大きさであってもよく、またフック部のいくつかが、より小さなフック部２４c、２６cのように異なる大きさであってもよい。フック部の数や大きさは締め付けストリップの使用に依存する。
【００２５】
図６は、本発明の第二の実施例にしたがった締め付け部材１１０の形状を示す。この実施例において、雌型クロージャー要素１１２は、雄型クロージャー要素１１４の突出部とかみ合う内側に向いたフック部を有する。特に、雌型クロージャー要素１１２は、ベース部１１６からほぼ外側に突き出て、平行に間隔があけられたウェブ１２０、１２２を有する。この実施例において、雄型ウェブ１２０、１２２のそれぞれは端部に互いに内側に向いたフック部１２４、１２６を有する。フック部１２４、１２６のそれぞれは、フック部をガイドし、組み合うクロージャー要素の対応する雄型突起部と一緒になって閉じるように、輪郭付けされた面１２８、１３０をもつ。必要なときは、雌型ウェブ１２０、１２２のそれぞれは、図９に示されたフック部１２４a-１２４c、１２６a-１２６cで示されているように二つ、三つまたはそれ以上のフック部を含む。
【００２６】
雄型クロージャー要素１１４はベース部１１８を有し、そのベーブ部１１８から伸長し、間隔があけられたウェブ１３６、１３８がある。ウェブ１３６の第一のものは、間隔があけられた複数の突起部１４０a-cを有し、それぞれは第一のウェブ１３６から外に伸長している。上述した雌型クロージャー要素の場合のように、突起部１４０は第一のウェブ１３６と一体に形成され、突起部を案内して対応する雌型フック部１２４とかみ合う輪郭付けされた面１４２a-cを有する。突出部１４０も同様に、突出部の間の空間に複数の相互かみ合いノッチ１４４a-cを画成する。また、第二のウェブ１３８は、その第二のウェブ１３８から外に伸長する間隔があけられた複数の突起部１４６a-cを有する。第二のウェブの先端にある突起部１４６aは好適に、第二のウェブ１３８から少なくとも部分的に内側に伸長する、内側伸長ガイド面１４８aを有する。このガイド面１４８aは、突起部１４６aをガイドして組み合う雌型フック部とともに閉じるのを支援する。突出部１４６bおよび１４６cに対応する残りの面はそれぞれ、輪郭付けされた面１４８b-cを有し、突出部１４８b-cと組み合う雌型フック部との係合を容易にする。突出部１４６は、さらに隣接する突出部の間の空間で、互いにかみ合う複数のノッチ１５０a-cを形成する。上記実施例では、各ウェブは必要であれば、二つ、三つ、四つまたはそれ以上を有してもよい。
【００２７】
雄型クロージャー要素１１４はまた、ウェブ１３６、１３８から横方向に間隔があけられた、向かい合う一つの翼状ガイド部材１３２、１３４を有する。図２ないし図５に関連して上述したガイド部材のように、クロージャー要素が閉じるときに雌型クロージャー要素のウェブ１２０、１２２をガイドして雄型突出部と整合するように、ウェブ１３６、１３８がれそれぞれ外側に広がる端部１３２e、１３４eを備える。
【００２８】
図示の実施例において、雌型クロージャー要素１１２はベース部１１６から伸長するフィン１５２を含み、雄型クロージャー要素１１４はウェブ１３６、１３８の間で、ベース部１１８から伸長する、間隔があけられたフィン１６０、１６２を含む。フィン１５２、１６０、１６２は、一体構造を維持し、クロージャー要素１１６、１１８の押し出しを容易にするために含まれている。クロージャー要素１１２、１１４は必要であれば、一つ、二つ、三つまたはそれ以上のフィンをもってもよい。
【００２９】
図６ないし図９Ｂに示されたクロージャー締め付けデバイスの操作は、上述のものと同様である。向かい合ったクロージャー要素１１２および１１４には、図８および図８に示されている矢印１６６、１６８で示された方向で、実質的に容器の側面およびベース部１１６、１１８のそれぞれの面に垂直な方向に押し付け力が適用される。この作用により、向かい合う雌型フック部１２４、１２６はフック部および突出部のクリアランスを形成することができるように、両対のウェブを曲げる突出部１４０、１４６のそれぞれに接触しながら、動く。このことにより、フック部が、突出部の間に形成されるノッチ１４４、１５０内に位置するときに、フック部１２４、１２６と突出部１４０、１４６の対応するものとの断続的なラチェット係合がなされる。したがって、使用者が認識できる雌型フック部と突出部とのラチェット係合は、クロージャー要素が互いに一緒になるようにしたときに生ずる。このラチェット係合は、フック部が突出部の一つと離れ、ノッチ内に位置する度毎に可聴音を発生させる。前述のとおり、クロージャー要素１１２、１１４が離れるときに、同じラチェットについて感覚が使用者により認識される。
【００３０】
図６ないし図９Ａの他の実施例は図９ｂに示されている。ウェブ１２０、１２２はそれぞれ、内側に向くフック部１２４a-１２４c、１２６a-１２６cを含む。これらフック部のそれぞれは同じ大きさをもってもよく、より小さなフック部１２４c、１２６cのように異なる大きさをもってもよい。フック部の数および大きさは、締め付けストリップの使用の態様に依存する。
【００３１】
図１０、ならびに図１１ないし図１３は、本発明の第三の実施例の断面図を示す。この実施例では、第一の雌型クロージャー要素２１２はベース部２１６から外向きに伸長する間隔があけられた一つのウェブ２２０、２２２を有する。ウェブ２２０、２２２はそれぞれ、第二の雄型クロージャー要素２１４との相互かみ合い係合するように、端部にフック部２２４、２２６を有する。各ウェブ２２０、２２２は、必要に応じて一つ、二つまたはそれ以上を有してもよい。第二のクロージャー要素２１４はベース部２１８から外に伸長する間隔があけられた一つの曲がりくねったウェブ２３６、２３８を有する。この実施例では、対の一方の第一のウェブ２３６は波をうつような曲がりくねったもので、間隔があけられた複数の凸部２４０a-cをもち、それぞれは第一のウェブ２３６から外に向かって突き出ている。この曲がりくねった形状はまた凸部の間の空間に間隔があけられた複数の凹部２４４a-cを画成する。同様に、第二のウェブ２３８は、その第二のウェブ２３８から外側に伸長する間隔があけられた凸部２４６a-cを含む。第二のウェブ２３８の形状は、凸部の中間に間隔があけられた複数の凹部２５０a-cを画成する。ウェブが三つの凸部および対応する凹部をもつことが図示されているが、他の数の凸部および凹部が、たとえば二つの凸部および凹部、四つの凸部および凹部、五つまたはそれ以上凸部および凹部のものが使用されてもよい。凸部は突出部と似たものである。
【００３２】
雄型クロージャー要素２１４はまた、一つのガイド部材２３２、２３４を含む。前述のとおり、ガイド部材２３２、２３４はウェブ２３６、２３８からそれぞれ横方向に間隔があけられている。第一のクロージャー要素２１２はベース部２１６から伸長するフィン２５２を有し、第二のクロージャー要素２１４はベース部２１８から伸長する二つのフィン２６０、２６２を含む。フィン２５２、２６０、２６２は一体的な構造を維持し、クロージャー要素の閉鎖を容易にするために含められ得る。クロージャー要素２１２、２１４は必要に応じて一つ、二つ、三つまたはそれ以上のフィンを含んでもよい。
【００３３】
図１０ないし図１３に示されているように、締め付けデバイス２１０を効果的に閉じるために、向かい合うクロージャー要素２１２および２１４はベース部２１６、２１８のそれぞれの面に対して垂直な方向に押し付けられる。クロージャー要素は、向かい合う雌型フック部２２４、２２６が、曲がりくねったウェブ２３６、２３８の端部と境を接したとき、接触したままとなる。このことは曲がりくねった２３６、２３８の両方を内側に曲げ、フック部と曲がりくねったウェブの凸部のクリアランスを可能にする。同時に、雌型ウェブ２２０、２２２は外側に曲がり、曲がりくねったウェブに形成される凹部２４４、２５０内にフック部２２４、２２６の断続的な係合がなされる。このような形状により、雌型フック部２２４、２２６の断続的なラチェット係合は曲がりくねったウェブを横切るときに生じ、使用者が容易に認識できる。使用者は、クロージャー要素が離れるときもこのような断続的な係合を認識する。ウェブはまた他の形状をもってもよい。たとえば、両ウェブは、図２０Ａおよび図２０Ｂのような曲がりくねったもので互いのかみ合うものでもよい。同様に、ウェブは、図２１のような鋸の歯のような形状、または図２２のような一連の丸みのある凸部形状をもってもよい。ウェブは最初に係合した後、何回か係合する。かみ合い接する点が漏れのない閉鎖を行うかぎり他の形状も利用することができる。
【００３４】
図１４および図１５は本発明の他の実施例を示す。この実施例では、締め付けデバイス３１０は相補的な対となるクロージャー要素の一方のベース部に形成された間隔があけられた凸部または凸凹面を有する。図示のとおり、第一のクロージャー要素３１２はベース部３１６を有し、そのベース部から内側雄型の一対のウェブ３２０、３２６が伸長し、その内側のウェブの端部に雄型フック部３２４、３２６が結合している。第一のフック部３２４は、冠のような面３３０を有するが、第二のフック部３２６は内側に向く面３２８を有している。内側ウェブ３２０、３２２から横方向に間隔があけられた一対の外側ウェブ３３２、３３４が内側ウェブ３２０、３２２よりも長く、ベース部３１６から伸長している。外側ウェブ３３２、３３４は、４５−９０度の範囲、好適には７５−９０度の範囲で前記ベース部に対して傾きをもってもよい。図１４に示されているように、外側ウェブ３３２、３３４は約８２度の角度、ベース部３１６に対して傾いている。ウェブ３３２、３３４は、湾曲した端部３３２a、３３４aのような、ウェブ３３２、３３４の動きを容易にする形状をもつことが望ましい。
【００３５】
第二のクロージャー要素３１４も、ベース部３１８を有し、そのベース部は一対の雌型内側ウェブ３３６、３３８を有し、その内側ウェブはその内側ウェブの端部にフック部３４０、３４２を有する。雌型フック部のそれぞれは、図１４および図１５において符号３４４、３４６で示された内側向きの面を有する。雌型クロージャー要素のベース部３１８は、雄型クロージャー要素のベース部３１６の外側端部を越えて伸長する、複数の凸部または凸凹面３４０a-c、３４６a-cを形成するように雄型クロージャー要素のものよりも長い。複数の凹部３４８a-c、３５０a-cは凸部の中間に位置する。図示の実施例は、ベース部３１６の両外側端に位置する三つの凸部および対応する凹部を採用するが、一つ、二つ、三つまたはそれ以上の凸部および凹部を必要であれば使用することができる。
【００３６】
締め付けデバイスを相互にかみ合わせるために、図１４に示されているとおり、外側ウェブ３３２、３３４が対応する最も内側の凸部３３２、３３４と境を接するように、向かい合うクロージャー要素３１４、３１６に押し付け力が適用される。図１４に示されているように、雄型および雌型フック部は相互にかみ合うようにまだ係合していない。さらに押し付けると、外側ウェブ３３２、３３４が曲がり、端部３３２a、３３４aが凸部３４０a、３４６aを通過し、凸部３４０a-b、３４６a-bの間に形成される凹部３４８b、３５０b内に位置する。外側ウェブは、図１５に示されているとおり、凸部３４０c、３４６cに形成された停止面と境を接するまで、段階的に動く。この位置で、雄型および雌型クロージャー要素は完全に閉じる。クロージャー要素が図１５に図示されているように閉じると、外側ウェブ３３２、３３４はベース３１６部に対して約５０度の角度をなす。このような形状により、クロージャー要素が互いに閉じて、外側ウェブと横方向に伸長する凸凹面に形成された凹部とで為されるラチェット係合は使用者が認識できる。さらに可聴音が発生される。
【００３７】
間隔があけられた凸部または凸凹をもつ他の実施例が図１６に示されている。この実施例では、間隔があけられた凸部が鋸の歯の形状をもつ。特に、クロージャー要素４１２、４１４は前記のクロージャー要素３１２、３１４に似たものである。しかし、ベース部４１８は複数の鋸の歯状の凸部４４０a-４４０c、４４６a-４４６cを有している。したがって、複数の凹部４４８a-４４８c、４５０a-４５０cが凸部に隣接して形成されている。外側ウェブ４３２，４３４は、ウェブが上面４４０d、４４６dと境を接するまで、段階的に動く。
【００３８】
クロージャー締め付けデバイスは他のタイプのクロージャー要素を含むことができる。図１７に示されているように、クロージャー締め付けデバイスは雄型クロージャー要素５１２および雌型クロージャー要素を含む。雄型クロージャー要素はベース部５１６から伸長するウェブ５２０を有する。ウェブ５２０はヘッド部５２４および凸部５２７、５２９を有する。雌型クロージャー要素５１４はチャネル５３９と二つのウェブ５４１、５４３（ベース部５１８から伸長している）を有する。ウェブ５４１、５４３は突出部５４５a-５４５c、５４７a-５４７cおよび突出部に隣接したノッチ５４９a-５４９c、５５１a-５５１cを含む。突出部は一般的に、ノッチ５４９a-５４９c、５５１a-５５１cと係合するように凸部５２７、５２９を案内するように輪郭付けされた面をもつ。この特定の実施例は各壁に三つの突出部を有するものであるが、必要であれば各壁に一つ、二つ、四つまたはそれ以上の突出部を有してもよい。
【００３９】
クロージャー要素同士が一緒になると、雄型の凸部５２７、５２９は、凸部５２７、５２９がノッチ５４９a-５４９c、５５１a-５５１c内に位置するときに、突出部５４５a-５４５cの対応するものと断続的に係合する。クロージャー要素は、それらが完全に閉じるまで、段階的に連結する。したがって、使用者が認識できる凸部と突出部とのラチェット係合は、クロージャー要素が互いにかみ合うときに生ずる。さらに、このラチェット係合がなされると、凸部が突出部の一つと離れ、間に形成されているノッチにカム合うようにして位置する度毎に可聴音が発生する。その可聴音は、突出部を曲げる力が解放されて凸部がノッチに嵌るときに生ずる。この音は閉じている使用者に容易に認識される。
【００４０】
複数の突出部をもつクロージャー要素の他の実施例が図１８に示されている。クロージャー締め付けデバイスは、雄型クロージャー要素６１２および雌型のクロージャー要素６１４を含む。雄型クロージャー要素６１２はベース部６１６から伸長するウェブ６２０を有する。ウェブ６２０はヘッド部６２４、凸部６２７a-６２７c、６２９a-６２９cおよびノッチ６４９a-６４９c、６５１a-６５１cを含む。雌型クロージャー要素６１４はチャネル６３９およびベース部６１８から伸長する二つのウェブ６４１、６４３を有する。ウェブ６４１、６４３は突出部６４５、６４７を有する。この特定の実施例は、ウェブに三つの凸部を示すが、必要であれば各ウェブに、一つ、二つ、四つまたはそれ以上の凸部が設けられてもよい。
【００４１】
クロージャー要素が互いに閉じるとき、雄型凸部６２７、６２９は、突出部６４５、６４７がノッチ６４９a-６４９c、６５１a-６５１c内に位置するときに、突出部６４５、６４７の対応するものと断続的に係合する。クロージャー要素は、それら要素が完全に閉じるまで、段階的に連結する。したがって、使用者が認識できる凸部のラチェット係合は、クロージャー要素が互いにかみ合うときに生ずる。さらに、このラチェット係合がなされると、凸部が突出部の一つと離れ、間に形成されているノッチにかみ合うようにして位置する度毎に可聴音が発生する。その可聴音は、突出部を曲げる力が解放されて凸部がノッチに嵌るときに生ずる。この音は閉じるときの使用者に容易に認識される。
【００４２】
図１９に図示の実施例は、図１７の雌型クロージャー要素と図１８の雄型クロージャー要素との組み合わせである。雌型クロージャー要素７１４は図１７の雌型クロージャー要素５１４と同様のものである。雄型クロージャー要素７１２は図１８の雄型クロージャー要素６１２と同様のものである。
【００４３】
雌型クロージャー要素７１４はチャネル７３９およびベース部７１８から伸長する二つのウェブ７４１、７４３を含む。ウェブ７４１、７４３は、突出部７４５、７４７および突出部に隣接するノッチ７４９、７５１を有する。突出部は、一般的に、ノッチ７４９、７５１と係合するように凸部７２７、７２９を案内するように輪郭付けされた面をもつ。この特定の実施例は各壁に三つの突出部を有するものであるが、必要であれば各壁に一つ、二つ、四つまたはそれ以上の突出部を有してもよい。
【００４４】
雄型クロージャー要素７１２はベース部７１６から伸長するウェブ７２０を有する。ウェブ７２０はヘッド部７２４、凸部７２７、７２９およびノッチ７４９、７５１を有する。この特定の実施例は、ウェブに三つの凸部を示すが、必要であれば各ウェブに、一つ、二つ、四つまたはそれ以上の凸部が設けられてもよい。
【００４５】
図１９の締め付けデバイス７１０を効果的に閉じるために、向かい合うクロージャー要素７１２および７１４はベース部７１６、７１８のそれぞれの面に対して垂直な方向に押し付けられる。クロージャー要素は、ウェブ７２０が各ウェブ７４１、７４３と係合するとき、接するようになる。ウェブ７４１、７４３は、突出部と凸部との断続的な係合、突出部と各ノッチとの断続的な係合が可能なように外側に広がる。この構成も、使用者が容易に認識できる断続的なラチェット係合を行う。使用者は、クロージャー要素が離れるときにもこのような断続的な係合を認識する。
【００４６】
図２０Ａおよび図２０Ｂに示されているように、両ウェブは、曲がりくねったもので相互にかみ合って係合する。クロージャー要素８１０は第一のクロージャー要素８１２および第二のクロージャー要素８１４を有する。
【００４７】
第一のクロージャー要素８１２は図１０ないし図１３のクロージャー要素２１４と同様のものである。第一のクロージャー要素８１２は、ベース部８１６からほぼ外側に伸長する間隔があけられた一対の曲がりくねったウェブ８２０、８２２を有する。この実施例では、対となった第一のウェブ８２０は波をうつような、曲がりくねったもので、間隔があけられた複数の凸部８２４a-cを有し、それぞれの凸部は第一のウェブ８２０から外側に突き出している。曲がりくねった形状はまた、凸部の間の空間に間隔があけられた複数の凹部８２５a-cを画成する。また、第二のウェブ８２２は、その第二のウェブ８２２から外側に伸長する間隔があけられた凸部８２６a-cを有する。第二のウェブ８２２の形状もまた、凸部の近傍に間隔があけられた複数の凹部８２７a-cを画成する。ウェブは三つの凸部と対応する凹部を示すが、二つの凸部と凹部、四つの凸部と凹部、または五つ以上の凸部と凹部のもののような、他の数の凸部および凹部のものが利用されてもよい。凸部は突出部と同様のものである。
【００４８】
第二のクロージャー要素８１４は第一のクロージャー要素８１２と同様のものである。第二のクロージャー要素８１４は、ベース部８１８からほぼ外側に伸長する間隔があけられた一対の曲がりくねったウェブ８３６、８３８を有する。この実施例では、対の第一のウェブ８３６は曲がりくねった形状で、第一のウェブ８３６から外側に突き出る間隔があけられた複数の凸部８４０a-cを有する。曲がりくねった形状はまた、凸部の間の空間に間隔があけられた複数の凹部８４４a-cを画成する。また、第二のウェブ８３８は、その第二のウェブ８３８から外側に伸長する間隔があけられた凸部８４６a-cを有する。第二のウェブ８３８の形状もまた、凸部の近傍に間隔があけられた複数の凹部８５０a-cを画成する。ウェブは三つの凸部と対応する凹部を示すが、二つの凸部と凹部、四つの凸部と凹部、または五つ以上の凸部と凹部のもののような、他の数の凸部および凹部のものが利用されてもよい。凸部は突出部と同様のものである。
【００４９】
雄型クロージャー要素８１４はまた、一対のガイド部材８３２、８３４を有する。前述のように、ガイド部材８３２、８３４はウェブ８３６、８３８からそれぞれ横方向に間隔があけられている。第一のクロージャー要素８１２はベース部８１６から伸長するフィン８５２を有し、第二のクロージャー要素８１４はベース部８１８から伸長する二つのフィン８６０、８６２を有する。フィン８５２、８６０、８６２は一体的な構造を維持し、クロージャー要素の押し出し成形を容易にするために含まれている。クロージャー要素８１２、８１４は、必要であれば一つ、二つ、三つまたはそれ以上のフィンをもってもよい。
【００５０】
図２０Ａに示されているように、締め付けデバイス８１０を効果的に閉じるために、向かい合うクロージャー要素８１２および８１４はベース部８１６、８１８のそれぞれの面に対して垂直な方向に押し付けられる。クロージャー要素は、向かい合う雌型フック部８２４、８２６が、曲がりくねったウェブ８３６、８３８の端部と境を接したとき、接触したままとなる。曲がりくねったウェブ８３６、８３８は内側に曲がり、凸部と他の凸部との断続的な係合、凸部と凹部との断続的な係合を可能にする。同時に、ウェブ８２０、８２２のそれぞれは外側に曲がり、凸部と他の凸部との断続的な係合、凸部と凹部との断続的な係合を可能にする。この構成により、使用者は、断続的なラチェット係合を容易に認識することができる。使用者は、クロージャー要素が離れるときもこのような断続的な係合を認識する。
【００５１】
図２１に示されているように、両ウェブは鋸の歯の形状をもち、相互にかみ合うように係合する。クロージャー要素９１０は第一のクロージャー要素９１２および第二のクロージャー要素９１４を有する。
【００５２】
第一のクロージャー要素９１２は、ベース部９１６からほぼ外側に伸長する間隔があけられた一対のウェブ９２０、９２２を有する。この実施例では、この対の第一のウェブ９２０は、その第一のウェブ９２０から外側に突き出た、間隔があけられた複数の三角形状の凸部９２４を有する。この構成もまた、凸部の間の空間に、間隔があけられた複数の凹部９２５を画成する。同様に、第二のウェブ９２２は、その第二のウェブ９２２から外側に伸長する間隔があけられた三角形状の凸部９２６を有する。第二のウェブ９２２の形状は、凸部に隣接した間隔があけられた複数の凹部９２７を有する。ウェブは四つの凸部と対応する凹部を示すが、二つの凸部と凹部、三つの凸部と凹部、または五つ以上の凸部と凹部のもののような、他の数の凸部および凹部のものが利用されてもよい。凸部は突出部と同様のものである。
【００５３】
第二のクロージャー要素９１４は第一のクロージャー要素９１２に似たものである。第二のクロージャー要素９１４は、ベース部９１８からほぼ外側に伸長する間隔があけられた一対のウェブ９３６、９３８を有する。この実施例では、対の第一のウェブ９３６は、その第一のウェブ９３６から外側に突き出た間隔があけられた複数の三角形状の凸部９４０を有する。この構成はまた、凸部の間の空間に間隔があけられた複数の凹部９４４を画成する。同様に、第二のウェブ９３８は、その第二のウェブ９３８から外側に突き出た間隔があけられた三角形状の凸部９４６を有する。第二のウェブ９３８の形状は、凸部に隣接した、間隔が開けられた複数の凹部９５０を有する。ウェブは四つの凸部と対応する凹部を示すが、二つの凸部と凹部、三つの凸部と凹部、または五つ以上の凸部と凹部のもののような、他の数の凸部および凹部のものが利用されてもよい。凸部は突出部と同様のものである。
【００５４】
雄型クロージャー要素９１４もまた一つのガイド部材９３２、９３４を有する。前述したように、ガイド部材９３２、９３４はウェブ９３６、９３８からそれぞれ横方向に間隔があけられている。第一のクロージャー要素９１２はベース部９１６から伸長したフィン９５２を有し、第二のクロージャー要素９１４はベース部９１８から伸長する二つのフィン９６０、９６２を含む。フィン９５２、９６０、９６２は一体的な構造を維持し、クロージャー要素の押し出し成形を容易にするために含んでもよい。クロージャー要素９１２、９１４は必要であれば、一つ、二つ、三つまたはそれ以上のフィンを有してもよい。
【００５５】
図２１に示されているように、締め付けデバイス９１０を効果的に閉じるために、向かい合うクロージャー要素９１２および９１４はベース部９１６、９１８のそれぞれの面に対して垂直な方向に押し付けられる。クロージャー要素は、向かい合う雌型フック部９２４、９２６が、ウェブ９３６、９３８と境を接したとき、接触したままとなる。ウェブ９３６、９３８は内側に曲がり、凸部と他の凸部との断続的な係合、凸部と凹部との断続的な係合を可能にする。同時に、ウェブ９２０、９２２のそれぞれは外側に曲がり、凸部と他の凸部との断続的な係合、凸部と凹部との断続的な係合を可能にする。この構成により、使用者は、断続的なラチェット係合を容易に認識することができる。使用者は、クロージャー要素が離れるときもこのような断続的な係合を認識する。
【００５６】
三角形状の凸部９２４、９２６、９４０、９４６は、クロージャー締め付けデバイスを閉じるのに必要な力がクロージャー締め付けデバイスを離すのに必要な力よりも小さいように設計される。特に、閉じる間、接する三角形状の面は、閉じることを容易にする角度だけ角度が付けられている。離れる間、接する三角形状の凸部の面の間は、閉じる場合と異なり、より開きにくくするために水平となっている。面の角度は、必要に応じて変えることができる。
【００５７】
図２２に示されているように、両ウェッブが丸みをもつ凸部をもち、互いにかみ合うように係合する。クロージャー要素１０１０は第一のクロージャー要素１０１２および第二のクロージャー要素１０１４を有する。
【００５８】
第一のクロージャー要素１０１２は、ベース部１０１６からほぼ外側に伸長する間隔があけられた一対のウェブ１０２０、１０２２を有する。この実施例では、この対の第一のウェブ９２０は、その第一のウェブ９２０から外側に突き出た、間隔があけられた複数の三角形状の凸部９２４を有する。この構成もまた、凸部の間の空間に、間隔があけられた複数の凹部１０２５を画成する。同様に、第二のウェブ１０２２は、その第二のウェブ１０２２から外側に伸長する間隔があけられた三角形状の凸部１０２６を有する。第二のウェブ１０２２の形状は、凸部に隣接した間隔があけられた複数の凹部１０２７を有する。ウェブは三つの凸部と対応する凹部を示すが、二つの凸部と凹部、四つの凸部と凹部、または五つ以上の凸部と凹部のもののような、他の数の凸部および凹部のものが利用されてもよい。凸部は突出部と同様のものである。
【００５９】
第二のクロージャー要素１０１４は第一のクロージャー要素１０１２に似たものである。第二のクロージャー要素１０１４は、ベース部１０１８からほぼ外側に伸長する間隔があけられた一対のウェブ１０３６、１０３８を有する。この実施例では、対の第一のウェブ１０３６は、その第一のウェブ１０３６から外側に突き出た間隔があけられた複数の三角形状の凸部１０４０を有する。この構成はまた、凸部の間の空間に間隔があけられた複数の凹部１０４４を画成する。同様に、第二のウェブ１０３８は、その第二のウェブ１０３８から外側に突き出た間隔があけられた三角形状の凸部１０４６を有する。第二のウェブ１０３８の形状は、凸部に隣接した、間隔が開けられた複数の凹部１０５０を有する。ウェブは三つの凸部と対応する凹部を示すが、二つの凸部と凹部、四つの凸部と凹部、または五つ以上の凸部と凹部のもののような、他の数の凸部および凹部のものが利用されてもよい。凸部は突出部と同様のものである。
【００６０】
第二のクロージャー要素１０１４もまた一つのガイド部材９３２、９３４を有する。前述したように、ガイド部材９３２、９３４はウェブ９３６、９３８からそれぞれ横方向に間隔があけられている。第一のクロージャー要素９１２はベース部９１６から伸長したフィン９５２を有し、第二のクロージャー要素９１４はベース９１８から伸長する二つのフィン９６０、９６２を含む。フィン９５２、９６０、９６２は一体的な構造を維持し、クロージャー要素の押し出し成形を容易にするために含んでもよい。クロージャー要素９１２、９１４は必要であれば、一つ、二つ、三つまたはそれ以上のフィンを有してもよい。
【００６１】
図２２に示されているように、締め付けデバイス１０１０を効果的に閉じるために、向かい合うクロージャー要素１０１２および１０１４はベース部１０１６、１０１８のそれぞれの面に対して垂直な方向に押し付けられる。クロージャー要素は、向かい合う雌型フック部１０２４、１０２６が、ウェブ１０３６、１０３８と境を接したとき、接触したままとなる。ウェブ１０３６、１０３８は内側に曲がり、凸部と他の凸部との断続的な係合、凸部と凹部との断続的な係合を可能にする。同時に、ウェブ１０２０、１０２２のそれぞれは外側に曲がり、凸部と他の凸部との断続的な係合、凸部と凹部との断続的な係合を可能にする。この構成により、使用者は、断続的なラチェット係合を容易に認識することができる。使用者は、クロージャー要素が離れるときもこのような断続的な係合を認識する。
【００６２】
図２３は本発明の他の実施例を示す。この実施例では、締め付けデバイス１１１０は、ベース部に対し角度が付けられた突出部のある面をもつ外側ウェブを有する。締め付けデバイス１１１０は第一のクロージャー要素１１１２および第二のクロージャー要素１１１４を有する。第一のクロージャー要素１１１２は、図６のウェブ１２０、１２２およびベース部１１６と同様の内側ウェブ１１２０、１１２２、およびベース部１１１６を有する。第一のクロージャー要素１１１２はまた、ベース部１１１６に対して角度が付けられた外側ウェブ１１３２、１１３４を有する。外側ウェブ１１３２、１１３４は３０−６０度の範囲、好適には４５度、前記ベース部に対して傾斜している。図２３では、外側ウェブ１１３２、１１３４は約４５度の角度をもってベース部に対し傾斜している。外側ウェブ１１３２、１１３４は突出部のある面１１４０、１１４６を有する。この実施例は面１１４０、１１４６を利用するが、図１４、図１５の面３４０、３４６、図１６の面４４０、４４６のような他の面をもつ実施例であってもよい。
【００６３】
第二のクロージャー要素１１１４は図２のウェブ２０、２２およびベース部１６と同様の内側ウェブ１１２１、１１２３およびベース部１１１７を有する。第二のクロージャー要素１１１４はまた、ベース部１１１７に対して角度が付けられた外側ウェブ１１３３、１１３５を有する。外側ウェブ１１３３，１１３５は、３０−６０度の範囲、好適には４５度、前記ベース部に対して傾斜している。ず２３において、外側ウェブ１１３３、１１３５は約４５度の角度をもって、ベース部に対して傾斜している。外側ウェブ１１３３，１１３５は、突出部のある面１１４１、１１４５を有する。突出部のある面は対応するウェブと係合する構成をもつ。
【００６４】
この実施例では、突出部のある面は、三角形状の凸部を有する。三角形状の凸部は、クロージャー締め付けデバイスの開閉の間、触覚の程度を調節するように設計される。特に、閉じる間接触する三角形状の凸部の面は、閉じる間強い触覚を与える角度で傾斜している。開く間、接触する三角形状の凸部の面は、閉じる間、中程度に減少した触覚を与えるように、ほぼ垂直となっている。面の角度は必要に応じて変化させてもよい。
【００６５】
閉じた位置にある締め付けデバイス１１１０が図２３に示されている。クロージャー要素１１１２、１１１４に押し付け力が作用すると、ウェブは互いに接触するようになる。内側ウェブは図１４ないし図１６に関して前述したように、係合する。外側ウェブが曲がり、ウェブ１１３４、１１３５の一方の突出部のある面とウェブ１１３４、１１３５の他方の突出部のある面とが係合する。この作用により、互いにかみ合う断続的なラチェット係合が可能となる。したがって、クロージャー要素が互いにかみ合っていくと、使用者はラチェット係合を認識することができる。さらに、このようなラチェット係合は、閉じる間、使用者が認識できる可聴音を発生する。ラチェット係合は、クロージャー要素が開くときも使用者により認識することができる。
【００６６】
図２４は本発明の他の実施例を示す。この実施例では、締め付けデバイス１１１０は、突出部のある面をもつ内側ウェブおよび突出部のある面をもつ外側ウェブを有する。締め付けデバイス１２１０は第一のクロージャー要素１２１２および第二のクロージャー要素１２１４を有する。第一のクロージャー要素１２１２は、図９Ｂのウェブ１２０、１２２およびベース部１１６と同様の内側ウェブ１２２０、１２２２、およびベース部１２１６を有する。この実施例ではウェブ１２２０、１２２２を採用しているが、図２ないし図９Ａ、図１０ないし図１３、図１７ないし図２２に示されたような他のウェブを採用する実施例も可能である。第一のクロージャー要素１２１２はまた、図２３のウェブ１１３２、１１３４と同様の外側ウェブ１２３２、１２３４を有してもよい。
【００６７】
第二のクロージャー要素１２１４は図９Ｂのウェブ１３６、１３８およびベース部１１８と同様の内側ウェブ１２３６、１２３８およびベース部１２１８を有する。この実施例ではウェブ１２２０、１２２２を採用しているが、図２ないし図９Ａ、図１０ないし図１３、図１７ないし図２２に示されたような他のウェブを採用する実施例も可能である。第二のクロージャー要素１２１４はまた、図２３のウェブ１１３３、１１３５と同様の外側ウェブ１２３３、１２３５を有してもよい。
【００６８】
閉じた位置にある締め付けデバイス１１１０が図２４に示されている。クロージャー要素１２１２、１２１４に押し付け力が作用すると、ウェブは互いに接触するようになる。内側ウェブは図６ないし図９Ａ、特に図９Ｂに関して前述したように、係合する。外側ウェブは図２３に関して前述してように係合する。内側ウェブと外側ウェブとのラチェット係合は、クロージャー要素が互いにかみ合っていくと、使用者が認識することができる。さらに、このようなラチェット係合は、閉じる間、使用者が認識できる可聴音を発生する。ラチェット係合は、クロージャー要素が開くときも使用者により認識することができる。
【００６９】
図２５は本発明の他の実施例を示す。この実施例では、締め付けデバイスは、突出部のある面をもつ内側ウェブおよびクロージャー要素の一方のベース部にある突出部のある面を有する。締め付けデバイス１３１０は第一のクロージャー要素１３１２および第二のクロージャー要素１３１４を有する。第一のクロージャー要素１３１２は、図２４のウェブ１２２０、１２２２およびベース部１２１６と同様の内側ウェブ１３２０、１３２２、およびベース部１３１６を有する。この実施例ではウェブ１３２０、１３２２を採用しているが、図２ないし図１３、図１７ないし図２２に示されたような他のウェブを採用する実施例も可能である。第一のクロージャー要素１２１２はまた、図１６の面４４０、４４６と同様のベース部に突出部１３４０、１３４６を有する。この実施例では突出部のある面１３４０、１３４６を採用しているが、図１４および図１５のような他の面を採用する実施例も可能である。
【００７０】
第二のクロージャー要素１３１４は図２４のウェブ１２３６、１２３８およびベース部１２１８と同様の内側ウェブ１３３６、１３３８およびベース部１３１８を有する。この実施例ではウェブ１３３６、１３３８採用しているが、図２ないし図１３、図１７ないし図２２に示されたような他のウェブを採用する実施例も可能である。第二のクロージャー要素１３１４はまた、図１６のウェブ４３２、４３４と同様の外側ウェブ１３３３、１３３５を有してもよい。
【００７１】
閉じた位置にある締め付けデバイス１０１０が図２５に示されている。クロージャー要素１３１２、１３１４に押し付け力が作用すると、ウェブは互いに接触するようになる。内側ウェブは図２４に関して前述したように、係合する。外側ウェブは図１６に関して前述してように係合する。内側ウェブと外側ウェブとのラチェット係合は、クロージャー要素が互いにかみ合っていくと、使用者が認識することができる。さらに、このようなラチェット係合は、閉じる間、使用者が認識できる可聴音を発生する。ラチェット係合は、クロージャー要素が開くときも使用者により認識することができる。
【００７２】
本発明のクロージャー締め付けデバイスは好適に、高密度ポリエチレン、中圧ポリエチレンまたは低密度ポリエチレンといった熱可塑性材料、または他の樹脂から作られる。このような締め付けデバイスは、押し出し成形のような既知の製造方法により、このようなデバイスを製造する他の方法や型を使用して容易に製造することができる。デバイスは、プラスチック製フィルムに後で付設するためのストリップとして製造され、またはプラスチック製フィルムと一体に製造される。押し出し成形の場合、クロージャー締め付けデバイスは、特定の製造方法に依存して、クロージャー要素の一方または両方にフランジ部を設けて、または設けることなく押し出し成形することができる。
【００７３】
本発明にしたがった締め付けデバイスには種々の利点がある。たとえば、突起部をもつ構成は使用者に触感を強く与える。さらに、本発明は、種々の点で閉じる構成から使用者に強い触感を与える。また、多数の突出部をもつ構成の発明では、段階的な着色でもって、視覚的に表示することができる。特に、使用者は、締め付けデバイスを横から見ることで、突出部とフック部との閉じ方の程度を色の変化で認識することができる。
【００７４】
したがって、少なくとも一つの突出部のある面を有する第一のクロージャー要素と突起部のある面と断続的なラチェット係合をする相補的な組み合う面を有する第二のクロージャー要素を有し、前述の目的を達成するクロージャー要素は本明細書に記述されている。当業者であれば、本発明の思想、範囲を逸脱することなく、本発明の種々の修正をなし得ることは分かるであろう。したがって、本発明は特許請求の範囲にのみ限定されるものである。
【図面の簡単な説明】
【００７５】
【図１】図１は本発明を組み込むのに適した熱可塑性材料でできた開閉自在の容器の斜視図である。
【図２】図２は、本発明にしたがって開いた位置にある、図１の線２−２にそった、少なくとも一つの突出物のあるクロージャー要素を有する締め付けデバイスの断面図である。
【図３Ａ】図３Ａは、雄型クロージャー要素のいろいろな構成要素の大きさを示す、本発明にしたがった雄型クロージャーの一実施例の断面図である。
【図３Ｂ】図３Ｂは、図３Ａの雄型クロージャー要素に使用する本発明にしたがった一実施例の雌型クロージャー要素であって、雌型クロージャー要素のいろいろな構成要素の大きさを示す雌型クロージャー要素の断面図である。
【図４Ａ】図４Ａは、いろいろな位置にある図２の締め付けデバイスの断面図である。
【図４Ｂ】図４Ｂは、いろいろな位置にある図２の締め付けデバイスの断面図である。
【図５Ａ】図５Ａは、完全に閉じた位置にある図２の締め付けデバイスの断面図である。
【図５Ｂ】図５Ｂは、図５Ａに示された締め付けデバイスの他の実施例の断面図である。
【図６】図６は、本発明の第二の実施例にしたがった、閉じていない位置にある締め付けデバイスの断面図である。
【図７】図７は、いろいろな位置にある図６の締め付けデバイスの断面図である。
【図８】図８は、いろいろな位置にある図６の締め付けデバイスの断面図である。
【図９Ａ】図９Ａは、完全に閉じた位置にある図６の締め付けデバイスの断面図である。
【図９Ｂ】図９Ｂは、図９Ａの締め付けデバイスの他の実施例の断面図である。
【図１０】図１０は、本発明の第三の実施例にしたがった、閉じていない位置にある締め付けデバイスの断面図である。
【図１１】図１１は、いろいろな位置にある図１０の締め付けデバイスの断面図である。
【図１２】図１２は、いろいろな位置にある図１０の締め付けデバイスの断面図である。
【図１３】図１３は、完全に閉じた位置にある図１０の締め付けデバイスの断面図である。
【図１４】図１４は、部分的に閉じた位置にある本発明の第四の実施例にしたがった締め付けデバイスの断面図である。
【図１５】図１５は、完全に閉じた位置にある図１４の締め付けデバイスの断面図である。
【図１６】図１６は、図１４の締め付けデバイスの他の実施例の断面図である。
【図１７】図１７は、本発明の他の実施例の断面図である。
【図１８】図１８は、本発明の他の実施例の断面図である。
【図１９】図１９は、本発明の他の実施例の断面図である。
【図２０Ａ】図２０Ａは、閉じていない位置にある他の実施例の断面図である。
【図２０Ｂ】図２０Ｂは、閉じた位置にある図２０Ａの締め付けデバイスの断面図である。
【図２１】図２１は、他の実施例の断面図である。
【図２２】図２２は、他の実施例の断面図である。
【図２３】図２３は、他の実施例の断面図である。
【図２４】図２４は、他の実施例の断面図である。
【図２５】図２５は、他の実施例の断面図である。
【図１】
2007534445.tif 000003
【図２】
2007534445.tif 000004
【図３Ａ】
2007534445.tif 000005
【図３Ｂ】
2007534445.tif 000006
【図４Ａ】
2007534445.tif 000007
【図４Ｂ】
2007534445.tif 000008
【図５Ａ】
2007534445.tif 000009
【図５Ｂ】
2007534445.tif 000010
【図６】
2007534445.tif 000011
【図７】
2007534445.tif 000012
【図８】
2007534445.tif 000013
【図９Ａ】
2007534445.tif 000014
【図９Ｂ】
2007534445.tif 000015
【図１０】
2007534445.tif 000016
【図１１】
2007534445.tif 000017
【図１２】
2007534445.tif 000018
【図１３】
2007534445.tif 000019
【図１４】
2007534445.tif 000020
【図１５】
2007534445.tif 000021
【図１６】
2007534445.tif 000022
【図１７】
2007534445.tif 000023
【図１８】
2007534445.tif 000024
【図１９】
2007534445.tif 000025
【図２０Ａ】
2007534445.tif 000026
【図２０Ｂ】
2007534445.tif 000027
【図２１】
2007534445.tif 000028
【図２２】
2007534445.tif 000029
【図２３】
2007534445.tif 000030
【図２４】
2007534445.tif 000031
【図２５】
2007534445.tif 000032
【国際調査報告】
2007534445.tif 000033